(57)【要約】【課題】  プレビュー表示によって、実際のプリント出力の画像サイズを確実に認識できるようにする。【解決手段】  プレビュー表示画面１０３には、ユーザーが出力条件として指示した文字サイズとこれと対比する一定サイズのサイズ基準体（例えば１０円玉）の画像１１０を表示する。ユーザーは、プレビュー表示される例えば出力文字サイズとサイズ基準体を比較することで、求める出力文字サイズに合うか否かを正しく判断できる。【選択図】  図４
2013117906.tif 000002
【特許請求の範囲】
【請求項１】
プリント出力を指示するデータを生成する生成手段と、
前記生成手段により生成されたデータに指示される出力条件によるプリント出力画像のプレビュー表示を表示部に行わせるプレビュー表示手段と、
出力条件として指示されたプリント出力画像のプレビュー表示とともに、所定のサイズ基準体の等倍率の画像の表示を表示部に行わせるサイズ基準体表示制御手段を
有する情報処理装置。
【請求項２】
請求項１に記載された情報処理装置において、
前記表示部に表示する画像の倍率調整の指示を受付ける倍率調整受付手段を有し、
前記サイズ基準体表示制御手段は、前記倍率調整受付手段によって受付けた倍率に基づいて前記表示部に表示する画像の倍率を調整する
情報処理装置。
【請求項３】
請求項１又は２に記載された情報処理装置において、
前記サイズ基準体の画像とサイズの各データを含む基準体データを入力する基準体データ入力手段と、
前記基準体データ入力手段によって入力された前記基準体データを登録する基準体データ登録手段を有し、
前記サイズ基準体表示制御手段は、前記基準体データ登録手段に登録された前記基準体データを前記表示部に表示する画像に用いる
情報処理装置。
【請求項４】
請求項３に記載された情報処理装置において、
前記基準体データ登録手段によって追加登録される前記基準体データをサイズ基準体の種類に対応付けて保管するとともに、保管された前記基準体データを削除する基準体データ管理手段と、
前記基準体データ管理手段に管理された複数種類のサイズ基準体の中から、前記表示部に表示する画像に用いるサイズ基準体を指示する基準体指示手段を有し、
前記サイズ基準体表示制御手段は、前記基準体データ管理手段に管理された複数種類のサイズ基準体の中から、前記基準体指示手段によって指示されたサイズ基準体の前記基準体データを前記表示部に表示する画像に用いる
情報処理装置。
【請求項５】
請求項１乃至４のいずれかに記載された情報処理装置において、
前記プレビュー表示を行うときに、プリント出力画像のサイズの指示を受付ける出力画像サイズ受付手段を有し、
前記サイズ基準体表示制御手段は、前記出力画像サイズ受付手段によって受付けた指示に従ったサイズで前記サイズ基準体の表示を行う
情報処理装置。
【請求項６】
コンピュータを請求項１乃至５のいずれかに記載された情報処理装置が有する前記サイズ基準体表示制御手段として機能させるためのプログラム。
【請求項７】
請求項６に記載されたプログラムを記録したコンピュータ読取可能な記録媒体。
【請求項８】
指示される出力条件で文書データを基にプリント出力用画像データを生成する生成手段と、前記生成手段により生成されたデータに指示される出力条件によるプリント出力画像のプレビュー表示を表示部に行わせるプレビュー表示手段を有する情報処理装置における出力確認用画像の表示制御方法であって、
出力条件として指示されたプリント出力画像のプレビュー表示とともに、所定のサイズ基準体の等倍率の画像の表示を表示部に行わせるサイズ基準体表示制御工程を有する出力確認用画像の表示制御方法。
【発明の詳細な説明】
【技術分野】
【０００１】
本発明は、プリント出力を指示するデータを生成するとともに、プリント出力のプレビュー（「印刷プレビュー」ともいう）等の出力確認用画像の表示を行う情報処理装置、出力確認用画像の表示制御方法、出力確認用画像の表示制御を実行するためのプログラム及び該プログラムを記録した記録媒体に関する。
【背景技術】
【０００２】
汎用の文書作成ソフトでよく使われる機能に印刷プレビュー機能がある。この印刷プレビュー機能は、印刷を実行する前に、プリント出力対象の文書等に設定された出力条件で印刷を行ったときの印刷イメージを画面表示することで、ユーザーにより出力条件等の確認ができるようにする機能である。
【０００３】
従来、提案された印刷プレビュー機能として、特許文献１（特開２００７−２６５３２０号公報）を例示することができる。
特許文献１には、印刷イメージを出力前に確認するプレビューウインドウに表示するプレビュー画像を拡大または縮小する操作を行うために、レールバーに対しスライド部を相対移動させる操作部を備えたプレビュー表示システムが記載されている。この特許文献１記載のプレビュー表示システムによると、ユーザーの操作によって拡大または縮小させて表示されるプレビュー画像を見ながら、ユーザーが任意に印刷（印字）倍率を変更することができる。
【０００４】
しかし、特許文献１記載のプレビュー表示システムの印刷プレビュー機能は、印刷後のイメージ、即ち用紙内に印刷される画像のサイズや配置が大体確認できても、ディスプレイに表示されたプレビュー画像上の字の大きさと実際に印刷される字の大きさが一致するとは限らない。そのため、実際に印刷を行い、紙面に印字された字を見て、初めて字が小さすぎて読めないと気付く場合がある。
こうした場合には、小さすぎる字のフォントサイズを大きくする等の設定の変更をして印刷をし直すことになり、その手間や失敗した印刷分を無駄にする、という不都合が生じる。
【発明の概要】
【発明が解決しようとする課題】
【０００５】
本発明の目的は、プリント出力を指示する際の出力のプレビュー表示により、実際のプリント出力の画像サイズを確実に認識できるようにして、従来技術に生じた前記問題を解消することである。
【課題を解決するための手段】
【０００６】
本発明は、プリント出力を指示するデータを生成する生成手段と、前記生成手段により生成されたデータに指示される出力条件によるプリント出力画像のプレビュー表示を表示部に行わせるプレビュー表示手段と、出力条件として指示されたプリント出力画像のプレビュー表示とともに、所定のサイズ基準体の等倍率の画像の表示を表示部に行わせるサイズ基準体表示制御手段を有する情報処理装置である。
【発明の効果】
【０００７】
本発明によれば、プリント出力を指示する際の出力のプレビュー表示により、実際のプリント出力の画像サイズを確実に認識することができる。
【図面の簡単な説明】
【０００８】
【図１】本発明の実施形態に係る画像処理システムの構成を示す図である。
【図２】本発明の実施形態に係る画像処理システムの他の構成を示す図である。
【図３】本発明の実施形態に係るコンピュータ端末のハードウェア構成を示す図である。
【図４】本発明の実施形態に係る携帯型端末のプレビュー表示画面を示す図である。
【図５】本発明の実施形態に係る携帯型端末のプレビュー表示画面（図４）のスライドバーの操作による表示動作を説明する図である。
【図６】プレビュー表示画面（図４、図５）におけるサイズ基準体の画像として利用できるサイズ基準体の種類を選択する操作画面を示す図である。
【図７】プレビュー表示画面（図４、図５）におけるサイズ基準体の画像として利用できるサイズ基準体を新規に登録するための操作画面を示す図である。
【図８】プレビュー表示画面（図４、図５）におけるサイズ基準体の画像として利用できるサイズ基準体として登録情報を編集するための操作画面を示す図である。
【発明を実施するための形態】
【０００９】
本発明の実施形態について、添付図面を参照して説明する。
本発明に係る情報処理装置の実施形態としては、ホスト装置、即ち、プリント出力装置を構成要素に組み込んでおらずプリント出力装置に対し出力を指示するＰＣ（Personal computer）或はプリント出力装置を構成要素に組込んだ、例えば、複合機、プリンタ等がある。
【００１０】
なお、プリント出力装置を構成要素に組み込んでおらずプリント出力装置に対し出力を指示するホスト装置では、出力対象の文書ファイルがプリント出力装置側に保存され、ホスト装置にない場合がある。この場合、ユーザーがプリント出力を指示する操作の際に行うプレビュー表示に出力対象の文書データを通常用いることができない（詳しくは、後の携帯型端末の例で述べる）。なお、この場合、プリント出力を指示してプリント出力装置に送るデータには、出力する文書データそのものは含まれず、出力対象の文書ファイルを指定するだけである。
他方、出力対象の画像（文書）データがホスト装置内で生成されるか又は保存されていれば、このデータを用いてプレビュー表示を行うことが可能であり、この場合、プリント出力を指示してプリント出力装置に送るデータには、出力する文書データそのものも含まれる。
【００１１】
プリント出力装置を組込んだ複合機や、ＰＣ，スキャナ，プリンタ等では、基本的に出力対象の画像（文書）データは装置内で生成されるか又は保存されているので、このデータを用いてプレビュー表示を行うことが可能である。
なお、このとき出力対象の画像（文書）データを用いて行うプレビュー表示の処理は、プリント出力に用いる画像データの処理の一環として行うことができる。
【００１２】
[画像処理システムの構成]
以下の実施形態では、ホスト装置をコンピュータ端末とし、また、プリント出力装置をプリンタとして構成する画像処理システムにおいて、コンピュータ端末がネットワーク等の通信手段を介してプリント出力を指示する形態で実施する例を示す。
そこで、まず本実施形態に係る画像処理システムの構成を図１及び図２を参照して説明する。
図１の画像処理システムは、ホスト装置としてのコンピュータ端末１０１，１０２とプリント出力装置としてのプリンタ１１，１２，１３を、ネットワーク４を介して接続して構成するものである。ネットワーク４は、既存の有線、無線の各ＬＡＮ（Local Area Network）等を採用することができるが、各コンピュータ端末と各プリンタとの間でデータ交換ができるネットワーク通信を実行する手段であれば特に限定されない。
【００１３】
図２の画像処理システムは、ホスト装置としてのコンピュータ端末１０ｄとプリント出力装置としてのプリンタ１を、ＵＳＢ（Universal Serial Bus）等のパラレルＩ／Ｆ(インターフェース)ケーブルで直接接続して構成するものである。
なお、コンピュータ端末１０ｄとプリンタ１との間でそれぞれに設けたコネクタに直接接続されたケーブルを介してデータ交換を実行する通信手段であれば、ＵＳＢ等のパラレルＩ／Ｆケーブルに限定されない。
【００１４】
[コンピュータ端末の構成]
本実施形態のコンピュータ端末１０１，１０２の構成を説明する。
本コンピュータ端末１０１，１０２は、携帯型端末とし、プリント出力装置としてのプリンタ１１，１２，１３に対するホスト装置として、プリント出力を遠隔から指示し、また、その指示を行う際に利用できる出力確認用の画像表示機能を有する。この出力確認用の画像表示機能は、後記で詳細に説明するが、プレビュー表示に加え、プリント出力のサイズを確認するためのサイズ基準体の画像を、プレビュー表示画像に対比する形で表示する機能を持つ。なお、以下の説明で、「プレビュー表示」というときには、基本的にサイズ基準体の画像表示を伴う。
なお、本例の携帯型端末は、無線通信手段でプリンタ１１，１２，１３と接続し、接続したプリンタとの間でモバイルコンピューティングによって情報を交換ができる、例えば、いわゆるスマートフォンといわれる携帯電話機や無線情報端末（ＰＤＡ）或はモバイルコンピュータ等を含む。
【００１５】
図３は、本発明の実施形態に係るコンピュータ端末のハードウェア構成を示す図である。
本コンピュータ端末１０１，１０２は、ソフトウェアプログラムの命令を実行するためのＣＰＵ（Central Processing Unit）１２、ＣＰＵ１２によって使用される制御プログラムや制御用データ等を保存（格納）するＲＯＭ（Read Only Memory）１３、前記制御プログラムによって生成されるデータなどを一時的に保存するＲＡＭ（Random Access Memory）１４、この端末に設定された各種の設定データ、管理情報、取得されたデータのうち保存が必要なデータを不揮発に記憶するＨＤＤ（Hard Disk Drive）１６の各要素よりコンピュータを構成し、このコンピュータがコンピュータ端末１０１，１０２全体を制御するコントローラとして機能する。
【００１６】
また、上記コンピュータのＣＰＵ１２が接続されるバス２０には、Ｉ／Ｏポート１１、表示部１５、入力部１７、記憶媒体ドライブ１８、ネットワークＩ／Ｆ２１がそれぞれ接続されている。
表示部１５と入力部１７は、コンピュータがユーザーとの間で情報交換をするための手段である。表示部１５は、コンピュータ端末１０１，１０２の状態をユーザーに知らせ、また、ユーザーの入力操作を案内する画面をディスプレイに表示する。入力部１７は、表示部１５の画面に表示するメッセージに従いユーザーが行うボタン（キー）操作等によって行われる指示やデータの入力を受け付ける。なお、表示部１５と入力部１７は、携帯型端末でも小型の機器で採用される既存のＬＣＤ（液晶表示器）タッチパネルを用いることができる。
Ｉ／Ｏポート１１は、ＣＰＵ１２の指示に従い、入力部１７及び表示部１５のデータの入出力を制御する。本実施形態のプレビュー表示は、この入力部１７及び表示部１５のデータの入出力の制御を通して行われる動作によって実現される。
【００１７】
ネットワークＩ／Ｆ２１は、本例の携帯型端末がモバイルコンピューティングによってプリンタ１１，１２，１３と情報を交換するので、無線通信方式で対応するネットワークと接続するインターフェースを用いる。ただ、プレビュー表示機能そのものは、ネットワークＩ／Ｆ２１が有線、無線のいずれであるかに直接関係がないので、例えば、有線ＬＡＮで接続するときには、ネットワークＩ／Ｆ２１を対応する既存の有線ＬＡＮＩ／Ｆを採用すればよい。
記憶媒体ドライブ１８は、リムーバブルなＣＤ（コンパクトディスク）等の各種ディスク型のメディア１９の読取り／書込みをする装置である。
また、リムーバブルな記憶媒体として、Ｉ／Ｏポート１１等を介して接続する小型のフラッシュメモリ（不図示）を用いることができる。
上記リムーバブルな記憶媒体としての各種ディスク型のメディア１９や小型の各種フラッシュメモリは、文書ファイルを書き込んで本携帯型端末に接続することで、プリンタ１１，１２，１３にプリント出力を指示する出力対象のデータとなる。
【００１８】
[プレビュー表示]
本携帯型端末が行うプレビュー表示について説明する。
出力画像のプレビュー表示は、従来からプリント出力を指示する際に行われているが、上記［背景技術］で述べたように、実際に印刷用紙にプリント出力される文字サイズがプレビュー表示から分り難く、ユーザーのイメージと違った出力になったために、条件を変更して出力をし直すことが必要になる、という問題が生じる。
【００１９】
そこで、本携帯型端末では、設定された出力画像サイズのプレビュー画像とともに所定のサイズ基準体の等倍率の画像の表示を行い、両画像を対比できるようにすることで、従来の上記問題を解決する手段とする。
サイズ基準体は、プレビュー表示される出力文字サイズをユーザーが目視でサイズ基準体と比較することによって、求める出力サイズに合うか否かが判断できることが求められる。このため、サイズ基準体は、ここでは身近に在り、ユーザーがサイズを実感できる、例えば貨幣のように、どの個体を採っても一定のサイズを有するものを指す。
【００２０】
図４は、本発明の実施形態に係る携帯型端末のプレビュー表示画面を示す図である。
同図Ａは、携帯型端末１０が有する表示部１５のディスプレイにおける表示画面１０１を表す。
ユーザーは、プリント出力をプリンタに指示する操作を行う際、用紙への出力がどのようになるかを確認する必要があれば、入力部１７を通してその指示を行う図示しないボタン（キー）等の操作を行う。
この操作が行われると、携帯型端末１０のコントローラは、表示部１５に指示して、図４Ａの表示画面１０１にプレビュー表示画面１０３の表示を行わせる。
【００２１】
プレビュー表示画面１０３には、ユーザーが指示した出力条件によるプリント出力画像１０３ｉがプレビュー表示される。図４Ａに示す例では、プリント出力画像１０３ｉとして「サンプルです」が、出力条件として指示された文字サイズで表示される。
また、プレビュー表示画面１０３内にプリント出力画像１０３ｉとしての「サンプルです」と対比できる配置を採る基準体画像領域１０４にサイズ基準体の画像１１０を表示する。なお、基準体画像領域１０４には、表示倍率の調整部１０８が設けられている（後記〈プレビュー表示の倍率調整〉で詳述）。
【００２２】
図４Ａに示すサイズ基準体の画像１１０は、図４Ｂに示す１０円玉を例に採っている。
例にした１０円玉は、身近に通貨としてあるもので、ユーザーがサイズを実感できる一定（又は規定）のサイズを有するものであるから、サイズ基準体としてプリント出力画像１０３ｉとの比較に用いるのに適している。
プレビュー表示画面１０３に表示されるプリント出力画像１０３ｉ及びサイズ基準体の画像１１０のサイズは、携帯型端末１０が有するディスプレイにおける表示画面１０１のサイズの制約を受けるので、実際にプリント出力された時のサイズとは必ずしも一致しない。ただ、プリント出力画像１０３ｉとサイズ基準体の画像１１０の画面上でのサイズの関係は、プリント出力された時も変わらない。即ち、プリント出力画像１０３ｉが、例えば、図４Ａに示すように、文字である場合、指定された文字サイズ（ポイント）と１０円玉は同じ倍率で表示されており、プリント出力後のサイズの関係を示している。なお、このサイズの関係は、プレビュー表示画面１０３での表示倍率が変わっても不変である。
【００２３】
また、先に述べたように、出力対象の文書ファイルがプリンタ等のプリント出力装置側に保存され、携帯型端末１０になく、プレビュー表示画面１０３に表示されるプリント出力画像１０３ｉとして、出力対象の文書ファイルのデータを用いることができない場合、携帯型端末１０のコントローラは、サンプルとして用意した文字等のデータを用い、指示された出力条件に従い作成したプリント出力画像１０３ｉによってプレビュー表示を行うようにするとよい。
なお、携帯型端末１０が有するディスプレイにおける表示画面１０１のサイズの制約をうける場合に、携帯型端末１０のコントローラは、印刷用紙全体のプレビュー表示が可能であっても、文字サイズの確認ができる画像にならない場合、出力対象の一部のデータをサンプルとし、表示画像を拡大してプレビュー表示に用いるようにしてもよい。
【００２４】
携帯型端末１０のコントローラは、上記の各種プレビュー表示用データの作成を実行し、作成したデータにより表示部１５にプレビュー表示を行わせる。
上記のように、図４Ａを参照して説明した実施形態によると、ユーザーは、プレビュー表示される出力文字サイズをサイズ基準体としてサイズが実感できる１０円玉と比較することで、求める出力サイズに合うか否かを適切に判断することができ、従来技術で生じる、イメージと違った出力になったために、条件を変更して出力をし直すことが必要になる、という問題を解決することができる。
【００２５】
〈プレビュー表示の倍率調整〉
図４Ａを参照して説明したプレビュー表示画面１０３には、プリント出力画像１０３ｉ及びサイズ基準体の画像１１０が表示され、両画像を対比することで、プリント出力画像１０３ｉのサイズを実際に近い形で認識できる。
ただ、プレビュー表示の倍率を、携帯型端末１０のディスプレイ（表示画面１０１）のサイズとの関係といった条件を考慮して適当に定めた値に固定すると、図４Ａ，Ｂに示したように、プリント出力画像１０３ｉは、実際にプリント出力された時のサイズとは必ずしも一致しない。
【００２６】
そこで、プレビュー表示の倍率を調整する手段を設けることで、実際にプリント出力された時のサイズのプリント出力画像１０３ｉが、プレビュー表示画面に表示できるようにして、文字サイズ等の画像サイズの実感が得られるようにする。
プレビュー表示の倍率を調整する手段は、図４Ａにおけるプレビュー表示画面１０３内の基準体画像領域１０４に設けた表示倍率の調整部１０８である。
表示倍率の調整部１０８は、スライド（スクロール）バー形式の操作部品で、スライドバーの長手方向につまみ部１０９を移動させる操作を行うと、つまみ部１０９の位置に比例して表示倍率が変化する。
【００２７】
図５は、本発明の実施形態に係る携帯型端末１０のプレビュー表示画面（図４）のスライドバーの操作による表示動作を説明する図である。
図４Ａにおいて、表示倍率の調整部１０８のスライドバーに設けたつまみ１０９が倍率を大きくする位置へと操作されると、基準体画像領域１０４内のサイズ基準体（１０円玉）の画像１１０が拡大して表示され、図５Ａに示す状態となる。また、図５Ａに示すように、同じ表示倍率でプリント出力画像１０３ｉである「サンプルです」も拡大して表示される。
【００２８】
このスライドバーの操作を行うときに、サイズ基準体１１０ｓとして採用した、図５Ｂに示す１０円玉と一致するように表示倍率の調整を行う、即ち、基準体画像領域１０４内のサイズ基準体の画像１１０である１０円玉の画像とサイズ基準体１１０ｓとして採用した手持ちの実物の１０円玉が同じサイズになるように調整する。
この調整を行った時にプレビュー表示されるプリント出力画像１０３ｉは、印刷用紙にプリント出力する文字サイズと一致するので、この時のプレビュー表示画面で実際の出力画像を確認することができる。
【００２９】
〈サイズ基準体の選択〉
図４及び図５を参照して説明した上記実施形態では、プレビュー表示画面１０３に表示するプリント出力画像１０３ｉを実際のサイズで確認するために、画面内に対比できる配置で表示するサイズ基準体の画像１１０に１０円玉を用いる例を示した。
ただ、ユーザーによっては、生活、習慣等の違いで、１０円玉のサイズに対する実感がない場合もあり、このようなユーザーの役に立たない。また、プリント出力画像１０３ｉの文字サイズによっても、適当なサイズ基準を用いる方が、確認の誤りを少なくすることができる。
そこで、利用性を高めるために、種類の違う複数のサイズ基準体を用意し、ユーザーに適したサイズ基準体を選択できるようにする。
【００３０】
手順としては、ユーザーがプレビュー表示を使用する際に、サイズ基準体の画像１１０として利用できるサイズ基準体の種類が選択可能であることをユーザーに知らせるとともに、選択の操作を行うための操作画面をユーザーに提示する。
具体的には、例えば、プレビュー表示を行う画面（図４Ａ、図５Ａ、参照）の基準体画像領域１０４の近辺に、サイズ基準体の種類が選択可能である旨を表すウィジェット（不図示）を設け、このウィジェットへのユーザー操作によって、サイズ基準体の画像１１０として利用できるサイズ基準体を選択する操作画面に移行できるようにする。
【００３１】
図６は、本携帯型端末のプレビュー表示画面（図４Ａ、図５Ａ）におけるサイズ基準体の画像１１０として利用できるサイズ基準体の種類を選択する操作画面を示す図である。
図６に示す操作画面１０５は、「印刷プレビューサイズ基準の選択」と題し、選択の対象となるサイズ基準体のコンボボックスをなす表示領域１０５ｓを設けている。
同図の例では、このコンボボックス内に「１０円玉」、「ボタン電池（LR44）」及び「乾電池（単３）」の３種類のサイズ基準体が選択対象として示されている。なお、この例は、それぞれサイズの違う種類を主に選択対象としたものである。
ユーザーは、この中の一つのサイズ基準体への操作を行うことで、プレビュー表示を行う画面（図４Ａ、図５Ａ、参照）の基準体画像領域１０４に表示するものを選択することができる。
【００３２】
なお、「印刷プレビューサイズ基準の選択」と題した図６の選択操作画面には、選択の対象となるサイズ基準体の表示領域１０５ｓのほか、「新規登録」及び「既存登録情報の編集」と題したそれぞれのコンボボックスをなす表示領域１０５ｒ及び表示領域１０５ｅが設けられているが、これらについては、後記〈サイズ基準体の新規登録〉、〈既存登録情報の編集〉でそれぞれ詳述する。
上記のように、サイズ基準体の画像１１０として利用できるサイズ基準体の種類を選択できるようにすることで、ユーザーの利用に適したサイズ基準体によるプレビュー表示を行い、確認の誤りを少なくすることができる。
【００３３】
〈サイズ基準体の新規登録〉
図６を参照して説明した上記実施形態では、プレビュー表示におけるサイズ基準体の画像１１０（図４Ａ、図５Ａ、参照）として利用できるサイズ基準体の種類を選択できるようにする例を示した。
しかし、求められるプリント出力の条件の多様化や複数のユーザーに適応するためには、サイズ基準体の種類にも多様性が求められ、用意されたサイズ基準体の種類だけで、多くのユーザーの要求に応えるには限界がある。
そこで、より利用性を高めるために、ユーザーが求める種類のサイズ基準体を新たに選択対象として登録し、ユーザーに適応するサイズ基準体を選択できるようにする。
【００３４】
手順としては、ユーザーがプレビュー表示を使用する際に、サイズ基準体の画像１１０として利用できるサイズ基準体の種類が選択可能であることをユーザーに知らせるとともに、選択操作の過程に付随させてユーザーに登録の手続きの案内をする。
具体的には、例えば、上記〈サイズ基準体の選択〉において述べた手順、即ち、プレビュー表示を行う画面（図４Ａ、図５Ａ、参照）の基準体画像領域１０４の近辺に、サイズ基準体の種類が選択可能である旨を表すウィジェット（不図示）を設け、このウィジェットへのユーザー操作によって、サイズ基準体の画像１１０として利用できるサイズ基準体を選択する操作画面（図６）に移行できるようにする手順を用意する。また、この後、移行した図６に示した操作画面に設けた「新規登録」と題したコンボボックスの表示領域１０５ｒに対する操作を行うことで、サイズ基準体の画像１１０として利用できるサイズ基準体を新規に登録する手続きを行う操作画面にさらに移行する手順を用意する。
【００３５】
図７は、本携帯型端末のプレビュー表示画面（図４Ａ、図５Ａ）におけるサイズ基準体の画像１１０として利用できるサイズ基準体を新規に登録するための操作画面を示す図である。
図７に示す操作画面１０６は、「新規登録画面」と題し、新規に登録するサイズ基準体の表示領域１０６ｒと「新規登録ボタン」１０６ｂを設けている。また、操作画面１０６の下部には、「ＯＫ」ボタン１０６ａと「キャンセル」ボタン１０６ｃを設けている。
「新規登録ボタン」１０６ｂは、このボタンの操作により、サイズ基準体を新規に登録する手続きの開始を指示するボタンである。このボタンを操作すると、新規登録に必要なデータの入力を行うための操作画面に移行する。
【００３６】
新規登録に必要なサイズ基準体のデータ（以下、「基準体データ」という）は、本携帯型端末のプレビュー表示画面（図４Ａ、図５Ａ）のサイズ基準体の画像１１０（図４Ａ、図５Ａ、参照）等として利用する画像データと、プリント出力画像１０３ｉと対比されるサイズ基準として、基準体が有する実際のサイズデータである。
画像データは、予めサイズ基準体の画像データとしてビットマップファイルにて記憶媒体に用意しておき、移行した新規登録の操作画面において、用意されたデータの記憶場所をアクセスする指示入力を行うことで必要な画像データを読み出す。
また、サイズ基準体のサイズデータは、一定のサイズデータであるから、これも移行した新規登録の操作画面において、その数値データの入力を行う。入力された基準体のサイズデータは、登録されたサイズ基準体の基準体データとして、画像データと関係付けて登録されて管理される。
【００３７】
サイズ基準体の新規登録手順としては、新規登録に必要なデータの入力を行うための操作画面からの指示に従い、登録予定のサイズ基準体のビットマップファイルを読み出すことにより得たデータは、操作画面１０６における登録画像の表示領域１０６ｒに納まるサイズの画像データに加工される。次いで、生成された画像データによって登録画像の表示領域１０６ｒに、サイズ基準体の画像が表示される。この後、サイズ基準体の画像がコンピュータによって確認され、ここで「ＯＫ」ボタン１０６ａが押されると、登録が完了する。
なお、上記の手順を中止する場合には、「キャンセル」ボタン１０６ｃが押される。
【００３８】
図７の例では、５０円玉をサイズ基準体として、新規に登録をしており、登録後、図６に示したサイズ基準体の表示領域１０５ｓに、サイズ基準体の一つとして追加される。
サイズ基準体の種類を選択する図６の操作画面において、プレビュー表示に用いる基準体として追加された５０円玉が選択されると、プレビュー表示におけるサイズ基準体の画像１１０として、５０円玉の基準体画像がプリント出力画像１０３ｉとサイズを対比するために表示される。
【００３９】
“出力画像のサイズ指示”
また、「新規登録画面」と題した図７の操作画面１０６には、サイズ基準体の画像１１０として利用できるサイズ基準体を新規に登録する手続きに合わせて、プリント出力画像のサイズを指示できるようにする手段を設けている。
これは、サイズ基準体の画像１１０を新規に登録することを試みるユーザーは、既登録の基準体を選択することに疑問を感じている、といった状況にあることが推測されることから、新規に登録したサイズ基準体によりプリント出力画像のサイズを設定し直し、新たにサイズを指示する可能性が高い、と考えられる。よって、基準体の新規登録を行った後、直ぐに設定操作を行う利便性を意図したものである。
【００４０】
図７の操作画面１０６の例では、プリント出力が文字画像であり、文字サイズの設定を変更し、出力条件を指示する手段を付加するものであり、同図に示すように、操作画面１０６内に、指示されたサイズの文字（図中「あ」として示す）を表示するプリント出力文字画像領域１０６ｄと、その脇に設けた文字サイズの調整部１０６ｓを要素としている。
文字サイズの調整部１０６ｓは、スライド（スクロール）バー形式の操作部品で、スライドバーの長手方向につまみ１０６ｅを移動させる操作を行うと、つまみ１０６ｅの位置に比例して、プリント出力文字画像領域１０６ｄ内の文字サイズが変化する。
【００４１】
ユーザーは、登録画像の表示領域１０６ｒに表示された新規登録した５０円玉のサイズと比較しながら、文字サイズの調整部１０６ｓのスライドバーに設けたつまみ１０６ｅを操作し、文字サイズを大きく、もしくは小さくする位置へと操作されると、操作に応じてプリント出力文字画像領域１０６ｄ内の文字サイズが拡大、もしくは縮小して表示される。
ユーザーは、サイズ基準体の５０円玉のサイズと比較し、適当と判断される文字サイズへ調整した後、「ＯＫ」ボタン１０６ａを押すと、文字サイズの設定が完了する。
なお、サイズ基準体の新規登録と文字サイズの設定の手順の関係は、サイズ基準体の新規登録のみを行う場合、文字サイズの設定を合わせて行う場合、それぞれで「ＯＫ」ボタン１０６ａと「キャンセル」ボタン１０６ｃを共通に使用して処理が完了できるように、ソフトウェアを設計する。
【００４２】
“出力画像のサイズ指示”について、図７を参照して述べた例では、「新規登録画面」で文字サイズの設定を行っているが、プレビュー表示画面でも行うことができる。
図４Ａ、図５Ａに例示したようなプレビュー表示画面で文字（出力画像）サイズの設定を行うためには、図７に示した文字サイズの調整部１０６ｓのようなプリント出力画像のサイズの調整手段を付加要素とする構成により実施することができる。
【００４３】
上記のように、サイズ基準体の画像として利用できるサイズ基準体を、プリント出力の条件の多様化や複数のユーザーに適応し得るものを用いることで実施できるようにすることで、ユーザーの利用に適したサイズ基準体によるプレビュー表示を行い、確認の誤りをより少なくすることができる。
【００４４】
〈既存登録情報の編集〉
図７を参照して説明した実施形態では、プレビュー表示に利用できるサイズ基準体として、ユーザーが求める種類のサイズ基準体を新たに選択対象として登録できるようにする例を示した。
しかし、新規登録することにより登録数が増え続けると、管理限界に達し登録ができなくなる一方、既登録の中にも使用されないものがでてくる。このため、機器のパフォーマンスが低下するとともに、ユーザーにとっても、操作が不便になる。
そこで、既登録中の不要なものについて、その情報の削除や変更、即ち、管理しているサイズ基準体の情報（データ）を編集できるようにする。
【００４５】
手順としては、ユーザーがプレビュー表示を使用する際に、サイズ基準体の画像１１０として利用できるサイズ基準体の種類が選択可能であることをユーザーに知らせるとともに、選択操作の過程に付随させてユーザーに当該編集の手続きの案内をする。
具体的には、例えば、上記〈サイズ基準体の選択〉において述べた手順、即ち、プレビュー表示を行う画面（図４Ａ、図５Ａ、参照）の基準体画像領域１０４の近辺に、サイズ基準体の種類が選択可能である旨を表すウィジェット（不図示）を設け、このウィジェットへのユーザー操作によって、サイズ基準体の画像１１０として利用できるサイズ基準体を選択する操作画面（図６）に移行できるようにする手順を用意する。
また、この後、移行した図６に示した操作画面に設けた「既存登録情報の編集画面」と題したコンボボックスの表示領域１０５ｅに対する操作を行うことで、サイズ基準体の画像１１０として利用できるサイズ基準体として既に登録されているサイズ基準体の情報を編集する手続きを行う操作画面にさらに移行する手順を用意する。
【００４６】
図８は、本携帯型端末のプレビュー表示画面（図４Ａ、図５Ａ）におけるサイズ基準体の画像１１０として利用できるサイズ基準体の登録情報を編集するための操作画面を示す図である。
図８Ａに示す操作画面１０７は、「既存登録情報の編集画面」と題し、既に登録されたサイズ基準体のうち編集の対象にするものを選ぶ「印刷プレビューサイズ基準の選択」と題したコンボボックス１０７ｆと、編集の対象となる登録画像の表示領域１０７ｒと、「登録情報編集ボタン」１０７ｂを設けている。また、操作画面１０７の下部には、「ＯＫ」ボタン１０７ａと「キャンセル」ボタン１０７ｃを設けている。
【００４７】
コンボボックス１０７ｆは、ここを操作することにより、コンボボックスの中身が、図８Ｂに示すように、展開される。なお、図８Ｂに示す例は、先に図６に示したコンボボックス１０５ｓと同じサイズ基準体が登録されている場合としている。
サイズ基準体の登録情報を編集するときには、図８Ｂに示された３種類のサイズ基準体の中から編集の対象とするものを選択し、「登録情報編集ボタン」１０７ｂを操作することにより、サイズ基準体の登録情報を編集する手続きが始まり、当該編集に必要なデータの入力を行うための操作画面に移行する。なお、「登録情報編集ボタン」１０７ｂを先に操作する逆の手順でもよい。
ここで行う編集は、削除と変更であるから、ユーザーがどちらを行うかを移行した操作画面において指示する部品を用意し、ユーザーの指示に従い各々の入力操作手順を進める。
【００４８】
削除の編集が指示された場合、編集の対象として選択されたサイズ基準体の登録情報として保管されている情報、即ち、プレビュー表示に用いるサイズ基準体の画像データ及びサイズ基準体が有する実際のサイズデータ等をそのデータの記憶部から削除する。
また、変更の編集が指示された場合、変更は削除と新規登録を一度に行うことにより実現する動作であるから、上記削除の手順を実行し、同時に新規登録の手順を実行する。
なお、サイズ基準体の新規登録の手順は、上記〈サイズ基準体の新規登録〉で図７を参照して説明した手順と同様の手順を行うことにより実現できる。よって、上記〈サイズ基準体の新規登録〉の説明を参照することとし、ここでは記載を省略する。
【００４９】
“出力画像のサイズ指示”
また、「既存登録情報の編集画面」と題した図８の操作画面１０７には、サイズ基準体の画像１１０として利用できるサイズ基準体の登録情報の削除／変更する編集手続きに合わせて、プリント出力画像のサイズを指示できるようにする手段を設けている。
これは、サイズ基準体の登録情報の削除／変更を試みるユーザーは、既登録の基準体が不要か、もしくは使用することに疑問を感じている、といった状況にあることが推測されることから、サイズ基準体の登録情報を変更し、新規に登録したサイズ基準体によりプリント出力画像のサイズを設定し直し、新たにサイズを指示する可能性が高い、と考えられる。よって、既存の登録情報の変更を行った後、直ぐに設定操作を行う利便性を意図したものである。
【００５０】
図８の操作画面１０７の例では、プリント出力が文字画像であり、文字サイズの設定を変更し、出力条件を指示する手段を付加するものであり、同図に示すように、操作画面１０７内に、指示されたサイズの文字（図中「あ」として示す）を表示するプリント出力文字画像領域１０７ｄと、その脇に設けた文字サイズの調整部１０７ｓを要素としている。
文字サイズの調整部１０７ｓは、スライド（スクロール）バー形式の操作部品で、スライドバーの長手方向につまみ１０７ｅを移動させる操作を行うと、つまみ１０７ｅの位置に比例して、プリント出力文字画像領域１０７ｄ内の文字サイズが変化する。
【００５１】
ユーザーは、変更後、登録画像の表示領域１０７ｒに表示した新たに登録したサイズ基準体と比較しながら、文字サイズの調整部１０７ｓのスライドバーに設けたつまみ１０７ｅを操作し、文字サイズを大きく、もしくは小さくする位置へと操作されると、操作に応じてプリント出力文字画像領域１０７ｄ内の文字サイズが拡大、もしくは縮小して表示される。
ユーザーは、サイズ基準の画像サイズと比較し、適当と判断される文字サイズへ調整した後、「ＯＫ」ボタン１０７ａを押すと、文字サイズの設定が完了する。
なお、サイズ基準体の変更登録と文字サイズの設定の手順の関係は、サイズ基準体の変更登録のみを行う場合、文字サイズの設定を合わせて行う場合、それぞれで「ＯＫ」ボタン１０７ａと「キャンセル」ボタン１０７ｃを共通に使用して処理が完了できるように、ソフトウェアを設計する。
【００５２】
上記のように、既登録のサイズ基準体のうち不要なもののデータの削除や変更を行えるようにすることで、機器のパフォーマンスの低下を防ぐとともに、ユーザーが操作に不便を感じることなく、必要なプレビュー表示を容易に行うことができる。
【００５３】
［コンピュータ端末以外の実施形態］
以上の説明は、本発明の実施形態としてコンピュータ端末として機能する携帯型端末１０を例に採って、ネットワーク等の通信手段を介してプリンタ１にプリント出力を指示する場合について行ったが、次に、本発明の他の実施形態として、複合機を例に採って説明する。
この複合機では、プリント出力に用いる画像データの入力は、スキャナで原稿を読取る方法や、例えば、接続ポートに装着したリムーバブルな記録メディアから記憶させた文書ファイルを読み出す方法で行われる。
【００５４】
複合機は、上記の方法で入力した画像データを基に、内部でプリント出力用データを生成して、このデータを組み込んだプリンタで出力に用いる。
こうした複合機の場合、機器の制御はデジタル信号により動作し、機器全体を制御する制御部が先に図３を参照して説明したコンピュータで構成するコントローラに当たる。また、表示部と入力部は、ユーザーインターフェースとして機能する操作パネルの形態を採る操作部に当たる。
したがって、複合機においても、コンピュータ端末として機能する携帯型端末１０を例に採って説明した上記実施形態のプレビュー表示と同様に、プレビュー表示に係る動作を実行することができる。
【符号の説明】
【００５５】
１，１１，１２，１３・・プリンタ、１０・・携帯型端末、１０１，１０２，１０ｄ・・コンピュータ端末、１１・・Ｉ／Ｏポート、１２・・ＣＰＵ、１３・・ＲＯＭ、１４・・ＲＡＭ、１５・・表示部、１６・・ＨＤＤ、１７・・入力部、１８・・記憶媒体ドライブ、２０・・バス、２１・・ネットワークＩ／Ｆ、１０３・・プレビュー表示画面、１０３ｉ・・プリント出力画像、１１０・・サイズ基準体の画像、１１０ｓ・・サイズ基準体。
【先行技術文献】
【特許文献】
【００５６】
【特許文献１】特開２００７−２６５３２０号公報
【図１】
2013117906.tif 000003
【図２】
2013117906.tif 000004
【図３】
2013117906.tif 000005
【図４】
2013117906.tif 000006
【図５】
2013117906.tif 000007
【図６】
2013117906.tif 000008
【図７】
2013117906.tif 000009
【図８】
2013117906.tif 000010